(57)【要約】【課題】  １本の締付けねじで位置検出スイッチの取付けバンドをシリンダチューブに固定すると同時に位置検出スイッチの固定も行えるようにしたスイッチ取付具を提供する。【解決手段】  取付けバンド３の両端に一対の締付け補強板３ａ，３ｂを備え、締付けねじ７によってそれらの間に位置検出スイッチ９を締付け保持させるスイッチ取付具１において、上記締付け補強板の間に、上記位置検出スイッチの両側面を該面に沿ってカバーするホルダー４を介装して該スイッチを挟持させる。締付けねじ７には、一対の締付け補強板の締付けにより該補強板のシリンダチューブ側基端が相互に接近して取付けバンドを仮固定するが、上記スイッチは固定されない第１の締付け位置と、その後の締付けによりスイッチがホルダーに固定される第２の締付け位置と、更なる締付けでホルダーに設けた締付け規制部が当接してそれ以上の締付けを規制する第３の締付け位置を保有させる。【選択図】        図１
2005249128.tif 000002
【特許請求の範囲】
【請求項１】
シリンダチューブに巻着する取付けバンドの両端に相対峙する一対の締付け補強板を備え、該一対の締付け補強板を貫通する締付けねじによってそれらの締付け補強板の間に位置検出スイッチをホルダーと共に保持させるようにしたシリンダの位置検出スイッチ取付具において、
上記一対の締付け補強板の間に、上記位置検出スイッチを、少なくともその保持部分の両側面を該面に沿ってカバーするホルダーを介装して位置調節可能に挟持させ、上記締付けねじをこのホルダーにも貫通させ、
上記締付けねじに、該ねじによる一対の締付け補強板の締付けにより該締付け補強板のシリンダチューブ側基端が相互に接近して取付けバンドをシリンダチューブに対して仮固定するが、上記スイッチは位置固定されない第１の締付け位置と、その後のねじの締付けにより一対の締付け補強板の上記基端とは反対側の端部が相互に接近してスイッチがホルダーに固定されると同時に、上記シリンダチューブの締付け固定が強化される第２の締付け位置と、更なるねじの締付けでホルダーに設けた締付け規制部が当接することによってそれ以上のねじの締付けを規制する第３の締付け位置を保有させた、
ことを特徴とするシリンダの位置検出スイッチ取付具。
【請求項２】
上記ホルダーが、上記位置検出スイッチの保持部分の両側面をカバーする側面部を、シリンダチューブに接する側に設けた連結部において互いに連結することにより、断面略Ｕ字状に形成され、該連結部内面に接する位置に位置検出スイッチの収容部が形成され、上記両側面部がスイッチの挟持部から更に延在する締付け部を有していて、一対の該締付け部間にスリットが形成されており、
上記締付けねじを上記ホルダーの締付け部に貫通させた、
ことを特徴とする請求項１に記載のシリンダの位置検出スイッチ取付具。
【請求項３】
上記ホルダーが、位置検出スイッチの挟持部及びそこから延在する締付け部を含む一対の側面部と、それらを連結する連結部とを、合成樹脂で一体成形することにより構成されている、
ことを特徴とする請求項２に記載のシリンダの位置検出スイッチ取付具。
【請求項４】
上記ホルダーが、位置検出スイッチの挟持部及びそこから延在する締付け部を含む一対の側面部を有するホルダー本体を合成樹脂で成形すると共に、上記側面部をシリンダチューブ側において連結保持する連結部と上記側面部の外面側に当接する当接壁とを有するブラケットを金属板の折曲により形成して、上記ホルダー本体に外嵌させたブラケットの当接壁の一部を該ホルダー本体の一部に係合させることにより構成されている、
ことを特徴とする請求項２に記載のシリンダの位置検出スイッチ取付具。
【請求項５】
上記ホルダー本体が、ブラケットの連結部に対面する部分に溝を有し、上記ブラケットの連結部に該溝を一定の間隔に保持するための凸部を設けた、
ことを特徴とする請求項４に記載のシリンダの位置検出スイッチ取付具。
【請求項６】
上記締付けねじの第１の締付け位置が、上記ホルダーにおける一対の締付け部間にスリットが存在する範囲内の位置であり、上記第２の締付け位置が、上記ホルダーにおける一対の締付け部が相互に部分的に接触して上記スリットが一部残存する位置であり、上記第３の締付け位置が、上記ホルダーの一対の締付け部が全面的に圧接される位置である、
ことを特徴とする請求項２〜５のいずれかに記載のシリンダの位置検出スイッチ取付具。
【請求項７】
位置検出スイッチのホルダーによる保持部分に固定するための固定手段と、該スイッチの移動範囲を規制するための係止部を設けた係止部材を備え、
上記ホルダーまたは締付けねじの一部に、上記係止部が係止して位置検出スイッチの挿入限度及び抜出し限度を規制するストッパ部を形成させた、
ことを特徴とする請求項２〜５に記載のシリンダの位置検出スイッチ取付具。
【請求項８】
上記係止部材が、上記固定手段として、位置検出スイッチに設けた孔に嵌入して該スイッチに対する軸線方向の移動を抑止する突子と、該位置検出スイッチの側面を抱持して該スイッチに取付けるための一対の抱持片とを備え、
上記係止部材が、上記係止部として、締付けねじの一部をストッパ部としてそれに当接することにより位置検出スイッチの挿入限度を規制する係止突子を備えると共に、上記ホルダーから位置検出スイッチの収容部に弾性的に突出した弾性突片をストッパ部として、それに当接することにより位置検出スイッチの抜出し限度を規制するところの抱持片先端の係止縁部とを備える、
ことを特徴とする請求項７に記載のシリンダの位置検出スイッチ取付具。
【請求項９】
上記ホルダーが、ゴム弾性を有する素材からなるホルダーブロックにより、少なくとも上記位置検出スイッチの保持部分の周囲をカバーするスイッチ挿入孔及び前記締付けねじを挿通する締付けねじ孔を設けたものとして構成され、
該スイッチ挿入孔はホルダーにおけるシリンダチューブに近接する位置に設けられ、
該ホルダーに、第３の締付け位置において上記締付けねじによる過度の締付けを規制するところの締付け規制部材を付設した、
ことを特徴とする請求項１に記載のシリンダの位置検出スイッチ取付具。
【請求項１０】
外形状が異なる複数の位置検出スイッチに対応させた形状の該スイッチの収容部を有するホルダーを備え、位置検出スイッチの形状に応じてそれらを選択的に取付けバンドの両端の締付け補強板間に装着可能にした、
ことを特徴とする請求項１〜９のいずれかに記載のシリンダの位置検出スイッチ取付具。
【発明の詳細な説明】
【技術分野】
【０００１】
本発明は、流体圧シリンダの外周面にピストン等の動作位置を検出する位置検出スイッチを取付けるための取付具に関するものである。
【背景技術】
【０００２】
従来より、流体圧シリンダにおいては、ピストン等の動作位置を検出するために、磁気を利用した検知装置が取り付けられている。この検知装置は、ピストンに取付けられた永久磁石及び非磁性体から成るシリンダチューブの外周面の任意位置に取付けバンド等によって固定されて磁石の近接を検出する位置検出スイッチから構成されている。
【０００３】
上記取付けバンドを用いた位置検出スイッチの取付具としては、通常、位置検出スイッチのホルダーを備えた取付けバンドを締付けねじによってシリンダチューブに固定すると共に、上記ホルダーに対して位置検出スイッチを位置調節して固定ねじ等により固定するようにし、あるいは、上記取付けバンドを固定するための締付けねじによって位置検出スイッチをもシリンダチューブの表面に締付け固定するようにしている。
【０００４】
しかしながら、前者の固定方法では、位置検出スイッチの取付けに二つのねじの締付けが必要であるため、その取付け作業に手数を要し、作業が面倒である。また、後者の方法では、位置検出スイッチを取付けバンドの強い締付けによりシリンダチューブの外周面に押し付けることになるため、位置検出スイッチ自体を高強度に製作する必要があり、さもないと、該スイッチが破損したり、その検出特性に締付けの影響が出たりする可能性がある。
【発明の開示】
【発明が解決しようとする課題】
【０００５】
本発明の課題は、１本の締付けねじで位置検出スイッチの取付けバンドをシリンダチューブに固定すると同時に、該締付けねじで位置を微調整した位置検出スイッチの固定も行えるようにし、それによって、シリンダチューブに対する取付けバンドの着脱及び位置検出スイッチの位置決め装着の作業性を改善したシリンダの位置検出スイッチ取付具を提供することにある。
【０００６】
本発明の他の課題は、上記１本の締付けねじによって、取付けバンドの締付け力とはあまり関係なしに位置検出スイッチに対する締付け力を調整できるようにし、しかも、位置検出スイッチに必要以上に大きな力が掛るのを抑制できるようにした位置検出スイッチ取付具を提供することにある。
本発明の更に他の課題は、ホルダーの交換により単一の取付けバンドで複数の位置検出スイッチの形状に対応させることが可能なシリンダの位置検出スイッチ取付具を提供することにある。
【課題を解決するための手段】
【０００７】
上記課題を解決するため、本発明は、基本的には、シリンダチューブに巻着する取付けバンドの両端に相対峙する一対の締付け補強板を備え、該一対の締付け補強板を貫通する締付けねじによってそれらの締付け補強板の間に位置検出スイッチをホルダーと共に保持させるようにしたシリンダの位置検出スイッチ取付具において、上記一対の締付け補強板の間に、上記位置検出スイッチを、少なくともその保持部分の両側面を該面に沿ってカバーするホルダーを介装して位置調節可能に挟持させ、上記締付けねじをこのホルダーにも貫通させ、上記締付けねじに、該ねじによる一対の締付け補強板の締付けにより該締付け補強板のシリンダチューブ側基端が相互に接近して取付けバンドをシリンダチューブに対して仮固定するが、上記スイッチは位置固定されない第１の締付け位置と、その後のねじの締付けにより一対の締付け補強板の上記基端とは反対側の端部が相互に接近してスイッチがホルダーに固定されると同時に、上記シリンダチューブの締付け固定が強化される第２の締付け位置と、更なるねじの締付けでホルダーに設けた締付け規制部が当接することによってそれ以上のねじの締付けを規制する第３の締付け位置を保有させたことを特徴とするものである。
【０００８】
上記ホルダーとしては、上記位置検出スイッチの保持部分の両側面をカバーする側面部を、シリンダチューブに接する側に設けた連結部において互いに連結することにより、断面略Ｕ字状に形成され、該連結部内面に接する位置に位置検出スイッチの収容部が形成され、上記両側面部がスイッチの挟持部から更に延在する締付け部を有していて、一対の該締付け部間にスリットが形成されており、上記締付けねじを上記ホルダーの締付け部に貫通させたものとすることができる。
【０００９】
また、上記ホルダーとしては、上記ホルダーが、ゴム弾性を有する素材からなるホルダーブロックにより、少なくとも上記位置検出スイッチの保持部分の側面をカバーするスイッチ挿入孔及び前記締付けねじを挿通する締付けねじ孔を設けたものとして構成され、該スイッチ挿入孔はホルダーにおけるシリンダチューブに近接する位置に設けられ、該ホルダーに、第３の締付け位置において上記締付けねじによる過度の締付けを規制するところの締付け規制部材を付設したものを用いることもできる。
【００１０】
上記構成を有するスイッチ取付具は、取付けバンドをシリンダチューブに巻いて締付けねじにより該取付けバンドの両端の一対の締付け補強板を第１の締付け位置まで締付けると、該締付け補強板のシリンダチューブ側基端が相互に接近して取付けバンドを締付け、それがシリンダチューブに仮固定される。この締付け位置では、上記締付け補強板がホルダーに当接するが、それを締付けない状態にあり、そのためホルダー内に位置検出スイッチを装着していても、該スイッチは位置固定されない。
【００１１】
その後、締付けねじを第２の締付け位置まで締付けると、一対の締付け補強板の上記基端とは反対側の端部が相互に接近して位置検出スイッチがホルダーに固定されると同時に、上記シリンダチューブの締付け固定が強化される。
これによりシリンダチューブに位置検出スイッチが取付けられ、スイッチの締付け力は締付けねじの締付け力によって調整することができる。この場合に、上述したように、締付け補強板のシリンダチューブ側基端が相互に接近して取付けバンドを締付けてから、ホルダーの締付けにより位置検出スイッチを締付けるようにしているので、取付けバンドの締付け力とはあまり関係がない状態で位置検出スイッチに対する締付け力を調整することができる。
【００１２】
また、締付けねじが上記第２の締付け位置にある締付け完了状態から、その締付けねじを緩めて第１の締付け位置に戻すと、締付けバンドがシリンダチューブに固定された状態で位置検出スイッチの固定が解除されるので、容易に該位置検出スイッチの位置の微調整を行うことができる。
更に、上述した第２の締付け位置から更なるねじの締付けを行うと、第３の締付け位置において、ホルダーに設けた締付け規制部が当接することによってそれ以上のねじの締付けが規制され、位置検出スイッチ９の過度の締付けが抑制され、締付けによる該スイッチ９の破損が防止される。
【００１３】
前述した断面略Ｕ字状に形成したホルダーを用いる場合、上記締付けねじの第１の締付け位置が、上記ホルダーにおける一対の締付け部間にスリットが存在する範囲内の位置になり、上記第２の締付け位置は、上記ホルダーにおける一対の締付け部が相互に部分的に接触して上記スリットが一部残存する位置になり、上記第３の締付け位置が、上記ホルダーの一対の締付け部が全面的に圧接される位置になる。
【００１４】
このように、上記位置検出スイッチ取付具によれば、１本の締付けねじで取付けバンドをシリンダチューブに固定すると同時に、該締付けねじで位置を微調整した位置検出スイッチの適度の締付けによる固定も行うことができ、それによって、シリンダチューブに対する取付けバンドの着脱及び位置検出スイッチの位置決め装着の作業性が著しく改善される。
【００１５】
本発明の好ましい実施形態においは、上記断面略Ｕ字状をなすホルダーが、位置検出スイッチの挟持部及びそこから延在する締付け部を含む一対の側面部と、それらを連結する連結部とを、合成樹脂で一体成形することにより構成される。
また、上記ホルダーは、位置検出スイッチの挟持部及びそこから延在する締付け部を含む一対の側面部を有するホルダー本体を、合成樹脂で成形すると共に、上記側面部をシリンダチューブ側において連結保持する連結部と上記側面部の外面側に当接する当接壁とを有するブラケットを金属板の折曲により形成して、上記ホルダー本体に外嵌させたブラケットの当接壁の一部を該ホルダー本体の一部に係合させることにより構成することもできる。この場合には、上記ホルダー本体がブラケットの連結部に対面する部分に溝を有し、上記ブラケットの連結部に該溝を一定の間隔に保持するための凸部を設けたものとするのが望ましい。
【００１６】
更に、本発明の好ましい実施形態においては、位置検出スイッチのホルダーによる保持部分に固定するための固定手段と該スイッチの移動範囲を規制するための係止部とを設けた係止部材を備え、上記ホルダーまたは締付けねじの一部に、上記係止部が係止して位置検出スイッチの挿入限度及び抜出し限度を規制するストッパ部が形成される。
更に具体的には、上記係止部材が、上記固定手段として、位置検出スイッチに設けた孔に嵌入して該スイッチに対する軸線方向の移動を抑止する突子と、該位置検出スイッチの側面を抱持して該スイッチに取付けるための一対の抱持片とを備え、上記係止部材が、上記係止部として、締付けねじの一部をストッパ部としてそれに当接することにより位置検出スイッチの挿入限度を規制する係止突子を備えると共に、上記ホルダーから位置検出スイッチの収容部に弾性的に突出した弾性突片をストッパ部として、それに当接することにより位置検出スイッチの抜出し限度を規制するところの抱持片先端の係止縁部とを備えたものとして構成される。
【００１７】
また、本発明の位置検出スイッチ取付具においては、外形状が異なる複数の位置検出スイッチに対応させた形状の該スイッチの収容部を有するホルダーを備え、位置検出スイッチの形状に応じてそれらを選択的に取付けバンドの両端の締付け補強板間に装着可能にしている。そのため、ホルダーの交換により単一の取付けバンドで複数の位置検出スイッチの形状に対応させることが可能になる。
【発明の効果】
【００１８】
以上に詳述したように、本発明のスイッチ取付具によれば、１本の締付けねじで、位置検出スイッチの取付けバンドをシリンダチューブに固定すると同時に、該締付けねじで位置を微調整した位置検出スイッチの固定も行うことができ、それによって、シリンダチューブに対する取付けバンドの着脱及び位置検出スイッチの位置決め装着の作業性を改善することができる。また、上記１本の締付けねじによって、取付けバンドの締付け力とはあまり関係なしに位置検出スイッチに対する締付け力を調整することができ、しかも、位置検出スイッチに必要以上に大きな力が掛るのを抑制することができる。
【発明を実施するための最良の形態】
【００１９】
図１〜図４は、本発明に係る位置検出スイッチ取付具の第１実施例を示している。
この第１実施例のスイッチ取付具１は、流体圧シリンダのシリンダチューブ２の外周面に巻着する取付けバンド３と、該取付けバンド３に取付けて位置検出スイッチ９を保持させるホルダー４と、上記位置検出スイッチ９に固定して該スイッチの移動範囲を規制する係止部材６と、上記取付けバンド３を上記シリンダチューブ２の外周面に締付けると同時に、上記ホルダー４を締付けて位置検出スイッチ９を固定する締付けねじ７とを備えている。
【００２０】
上記位置検出スイッチ９は、従来から一般に販売・使用されている汎用品、あるいはこの取付具のために新たに開発されたものを用いることができるが、それらの位置検出スイッチは、通常、図１に示すように、軸線方向の取付け位置を調整可能にするための一定断面の棒状部９ａを有していて、その一部にスイッチ部を内装すると共に、他の一部にシリンダチューブその他に固定するための強度を付与した保持部分９ｂを設け、必要に応じて該保持部分９ｂにその位置検出スイッチ９をシリンダチューブ等のスイッチ取付溝に固定するためのねじ孔９ｃを設けている。この種の位置検出スイッチであれば、この取付具による取付けの対象とすることができる。
【００２１】
上記シリンダチューブ２に巻着する取付けバンド３は、その両端に相対峙する一対の締付け補強板３ａ，３ｂを備え、該一対の締付け補強板３ａ，３ｂを貫通する前記締付けねじ７によって、それらの締付け補強板３ａ，３ｂの間に位置検出スイッチ９をホルダー４と共に保持させるようにしている（図５参照）。上記締付けねじ７は、一方の締付け補強板３ａに設けた孔３ｃに嵌挿し、他方の締付け補強板３ｂに設けたねじ孔３ｄに螺挿するようにしたものである。
【００２２】
上記一対の締付け補強板３ａ，３ｂの間に介装する上記ホルダー４は、  ？  のような合成樹脂で一体に成形され、図１、図２、図４及び図５に示すように、前記位置検出スイッチ９の保持部分９ｂの両側面をカバーする一対の側面部１１を、シリンダチューブ２に接する側に設けた連結部１２において互いに連結することにより、断面略Ｕ字状に形成している。そして、このホルダー４における上記連結部１２の内面に接する位置に、つまり、検出感度を高めるために、できるだけシリンダチューブ２に近い位置に位置検出スイッチ９の収容部が形成され、該スイッチ９をその軸線方向に位置調節可能にして上記一対の側面部１１により挟持できるようにしている。
【００２３】
また、上記ホルダー４の両側面部１１は、上記スイッチ９の挟持部１１ａから更に延在する締付け部１１ｂを有していて、該スイッチ９を締付け固定していない状態では、一対の該締付け部１１ｂ間にスリット１３が形成されるようにしている。前記締付けねじ７は、上記ホルダー４を締付け部１１ｂにおいて貫通し、該スイッチ９の締付け固定時に上記スリット１３が締め代となる。
【００２４】
このホルダー４は、本質的には、少なくとも上記位置検出スイッチ９の保持部分９ｂの両側面を該面に沿ってカバーでき、また上記締付けねじ７で締付けできるものであればよいが、図示の実施例では、上記スイッチ９に固定する係止部材６の係止部（後述）が当接するストッパ部として、その係止部を係止させて位置検出スイッチ９の抜出し限度を規制する弾性突片１５を一体的に設けている。即ち、図２及び図４に明瞭に示すように、上記ホルダー４に、位置検出スイッチ９の挟持部１１ａから該スイッチ９に沿って延びる延出部１４を一体に連設し、この延出部１４にコ字状の切れ目１６を設けることにより、上記挟持部１１ａ側において弾性的にスイッチ９の収容部に突出するようにした弾性突片１５を形成している。
【００２５】
図５の（Ａ）〜（Ｄ）は、上記第１実施例とは取付けバンド３の形態が相違するが実質的に同構成のスイッチ取付具の使用態様を説明するためのもので、このスイッチ取付具１では、同図（Ａ）に示すようなホルダー４及びスイッチ９が全く拘束されない状態から、取付けバンド３の締付け補強板３ａ，３ｂを上記締付けねじ７で締付けたときに、先ず、同図（Ｂ）に示すように、該締付け補強板３ａ，３ｂのシリンダチューブ２側基端が相互に接近して、シリンダチューブ２を締付け、その後、該締付け補強板３ａ，３ｂが相互にほぼ平行になる姿勢をとり、その時点では該締付け補強板３ａ，３ｂがホルダー４の外側面にほぼ全面的に当たるように形成される。この締付け位置では、取付けバンド３がシリンダチューブ２に仮固定されるが、上記ホルダー４に保持された位置検出スイッチ９は位置固定されない。以下においては、この締付け位置を第１の締付け位置という。
【００２６】
上述した締付けねじ７の第１の締付け位置では、上記ホルダー４における一対の締付け部１１ｂ間にスリット１３が存在し、それによって上記スイッチ９はホルダー４で締付けられず、従って該スイッチが位置固定されない範囲内の締付け位置であり、この状態ではスイッチ９の軸線方向位置を微調整することができる。
その後の上記ねじ７の締付けによりスイッチ９がホルダー４に固定される第２の締付け位置（図５の（Ｃ）参照）は、一対の締付け補強板３ａ，３ｂの先端側の端部が相互に接近し、上記ホルダー４における一対の締付け部１１ｂが相互に部分的に接触して、上記スリット１３が一部残存する位置である。この第２の締付け位置では、締付けねじ７によりスイッチ９の締付け程度を適宜設定することができる。また、上記スイッチ９の固定と同時に、上記シリンダチューブ２の締付け固定が強化される。
なお、この状態から締付けねじ７を緩めて図５（Ｂ）の状態に戻すと、締付けバンド３はシリンダチューブ２に固定されたままであるが、上記ホルダー４に保持された位置検出スイッチ９は位置調整可能になる。
【００２７】
上記ホルダー４における一対の締付け部１１ｂの相対向する面は、上記ねじ７の締付け限度を設定する締付け規制部を構成するものであり、図５の（Ｄ）に示すように、上記第２の締付け位置から更なる締付けねじ７の締付けで上記締付け規制部が全面的に圧接される位置が第３の締付け位置である。この第３の締付け位置では、上記締付け規制部が圧接することによってそれ以上のねじの締付けが規制され、それによって位置検出スイッチ９の過度の締付けによる破損が防止される。上記位置検出スイッチ９の固定に際し、必ずしもこの第３の締付け位置まで締め付ける必要はない。
なお、上記図５の（Ａ）〜（Ｄ）における締付けねじ７の締付けの段階で、取付けバンド３の両端の一対の締付け補強板３ａ，３ｂはその傾斜角度を変えることになるが、該締付け補強板３ａの孔３ｃは締付けねじ７の傾斜を可能にする程度の大きさとし、また、他方の締付け補強板３ｂに設けたねじ孔３ｄもある程度の締付けねじ７の傾斜を許容可能にするので、締付け補強板３ａ，３ｂの締め付けに支障を来すことはない。
【００２８】
上記ホルダー４により位置検出スイッチ９を締付け保持する場合に、該スイッチ９において固定のために強度が付与された保持部分９ｂが常に締付け保持されるように、該ホルダー４内における位置検出スイッチ９の軸線方向移動範囲を制限する係止部材６を該スイッチ９に設けているが、次に、図１、図３及び図４を参照して、この係止部材６の構成及び作用について説明する。
この係止部材６は、位置検出スイッチ９のホルダー４による保持部分９ｂに装着し、上記ホルダー４または締付けねじ７の一部をストッパ部として、それに係止部を係止させることにより、位置検出スイッチ９の挿入限度及び抜出し限度を規制するもので、上記位置検出スイッチ９の保持部分９ｂに固定するための固定手段と、上記ストッパ部に係止する係止部とを備えている。
【００２９】
上記係止部材６における位置検出スイッチ９への固定手段は、該スイッチ９の保持部分９ｂに設けたねじ孔９ｃ、あるいはこの係止部材６の固定のために該スイッチ９に設けた適宜の孔に嵌入して、該スイッチ９に対する軸線方向の移動を抑止する突子２０と、該位置検出スイッチ９の側面を抱持して該スイッチに取付けるための一対の抱持片２１とによって構成している。
また、上記係止部材６における係止部としては、締付けねじ７の一部をストッパ部としてそれに当接することによりホルダー４内の収容部への位置検出スイッチ９の挿入限度を規制する係止突子２２と、上記抱持片２１の先端に形成され、上記ホルダー４の延出部１４から位置検出スイッチ９の収容部に弾性的に突出する弾性突片１５をストッパ部として、それに当接することにより位置検出スイッチ９の抜出し限度を規制する抱持片先端の係止縁部２１ａとを設けている。
【００３０】
上記係止部材６は、位置検出スイッチ９への固定手段である突子２０を該スイッチ９に設けたねじ孔９ｃ等に嵌入して、該スイッチ９に対する軸線方向の移動を抑止すると同時に、該位置検出スイッチ９の側面を一対の抱持片２１によって抱持させることにより、該スイッチ９に取付けることができ、この状態で位置検出スイッチ９の保持部分９ｂをホルダー４における収容部に収容すると、上記締付けねじ７をストッパ部としてそれに係止突子２０からなる係止部が係止する位置と、上記ホルダー４の延出部１４から位置検出スイッチ９の収容部に弾性的に突出する弾性突片１５をストッパ部として、それに上記抱持片２１の先端の係止縁部２１ａからなる係止部が係止する位置との間に、位置検出スイッチ９の移動範囲が規制され、その範囲内でしか位置検出スイッチ９を移動させることができないので、ホルダー４により常に上記位置検出スイッチ９における固定のための強度を付与した保持部分９ｂを確実に固定することができる。
【００３１】
通常、上記締付けねじ７の一部をストッパ部としてそれに係止突子２２が当接する位置検出スイッチ９の挿入限度は、該スイッチ９の先端がホルダー４の先端面とほぼ一致する位置であり、また、上記抱持片２１の先端の係止縁部２１ａが当接する位置検出スイッチ９の抜出し限度は、ホルダー４により位置検出スイッチ９の保持部分９ｂを安定的に把持できる限度位置である。
図４は、上記係止部材６がホルダー４内において移動できる範囲を容易に理解できるように、それらの位置的関係を示したものである。
【００３２】
なお、上記スイッチ９は、それをホルダー４の延出部１４側から挿入するときには、前記弾性突片１５がスイッチ９の収容部から後退して該スイッチの挿入を妨げることはないが、スイッチを一端挿入した後には、上述したスイッチ９の移動の制限により、抱持片２１の先端の係止縁部２１ａが弾性突片１５からなるストッパに係止しているのを外さなければ、スイッチ９を取り外せない。
また、上記位置検出スイッチ９をその移動範囲が規制されている範囲外に移動させる必要がある場合には、取付けバンド７自体の位置を変えればよい。
【００３３】
図６及び図７は本発明に係る位置検出スイッチ取付具の第２実施例を示している。
この第２実施例のスイッチ取付具３１は、前記第１実施例の場合と比較して、位置検出スイッチ９を保持させるホルダー３２の具体的構造が相違するが、その他の取付けバンド３、位置検出スイッチ９に取付ける係止部材６及び上記取付けバンド３を締付ける締付けねじ７は、一部に形状の差異があるとしても、第１実施例の場合と実質的に相違するところがないので、第１実施例との相違点のみについて以下に説明し、実質的に相違しない点については、図中の主要部に第１実施例と同一の符号を付してそれらの説明は省略する。
【００３４】
この第２実施例におけるホルダー３２は、位置検出スイッチ９の挟持部３４ａ及びそこから上方に延在する締付け部３４ｂを含む一対の側面部３４を有するホルダー本体３３と、上記一対の側面部３４をシリンダチューブ２に接する側において連結保持する連結部３６、及び上記側面部３４の外面側に当接する当接壁３７を有するブラケット３５とによって構成している。上記ホルダー本体３３の側面部３４に外嵌させたブラケット３５は、その当接壁３７の内側面に設けた複数の突子３８を該ホルダー本体３３の一部に設けた凹部３９に係合させることにより、両者の一体化の位置決めを行っている（図１０参照）。
【００３５】
そして、上記ホルダー本体３３における位置検出スイッチ９の挟持部３４ａから、第１実施例の場合と同様に、該スイッチ９に沿って延びる延出部４１を一体に連設し、この延出部４１にコ字状の切れ目４３を設けることにより、上記挟持部３４ａ側において弾性的にスイッチ９の収容部に突出するようにした弾性突片４２を形成し、これらを合成樹脂で一体に成形している。
また、上記連結部３６と当接壁３７とを有する上記ブラケット３５を非磁性の金属板の折曲により形成している。
【００３６】
上記ホルダー本体３３は、ブラケット３５の連結部３６に対面する部分に溝４４を設けて、スイッチ９を可及的にシリンダチューブ２に接近させるように構成し、上記ブラケット３５の連結部３６に、その一部を切り起こして該溝４４に嵌入させる凸部３６ａを設けて、締付けねじ７によるホルダー３２の締付け時にも該溝４４を一定の間隔に保持できるようにし、上記溝４４を設けたホルダー本体３３の変形を防止している。
なお、一対の側面部３４間に上記溝４４を設けることにより側面部３４が分離されたホルダー本体３３は、図７に示すところから明らかなように、上記一対の側面部３４を上記延出部４１の下方において相互に連結している。
この第２実施例のその他の構成、作用及び使用方法は、ブラケット３５によりホルダー３２が補強されている点を除いて、第１実施例と実質的に変わらない。
【００３７】
図８及び図９は、本発明の第３実施例を示すもので、この第３実施例のスイッチ取付具５１では、ホルダー５２がゴム弾性を有する素材で形成され、具体的には合成ゴムや軟質合成樹脂により形成される。
この第３実施例のスイッチ取付具５１は、前記第１実施例の場合と比較して、位置検出スイッチ９を保持させるホルダー５２の具体的構造が相違するばかりでなく、位置検出スイッチ９に前記係止部材６は取付けて使用できない構造になっている。位置検出スイッチ９の移動範囲を規制する場合には、その構成を別途考慮する必要がある。
しかしながら、その他の取付けバンド３及び該取付けバンド３を締付ける締付けねじ７等は、第１実施例の場合と実質的に相違するところがないので、第１実施例との相違点のみについて以下に説明し、実質的に相違しない点については、図中に第１実施例と同一の符号を付してそれらの説明は省略する。
【００３８】
この第３実施例におけるホルダー５２は、ゴム弾性を有する素材のホルダーブロック５３に、少なくとも上記位置検出スイッチ９の保持部分９ｂの側面をカバーするスイッチ挿入孔５４を設け、更に平面視においてそれと直交する上記締付けねじ７のための挿通孔５５を設けたものとして構成されている。該スイッチ挿入孔５４は、ホルダーブロック５３におけるシリンダチューブ２に近接する位置に設けられ、また、上記締付けねじ７の挿通孔５５は、前記第１及び第２実施例と同様な位置、即ち、取付バンド３における一対の締付け補強板３ａ，３ｂに対応する位置に、該ホルダーブロック５３を貫通するように設けられている。
【００３９】
また、上記ホルダーブロック５３における締付けねじ７の挿通孔５５には、前記第３の締付け位置において上記締付けねじ７による過度の締付けを規制するところの締付け規制部材を付設している。この締付け規制部材は、上記ホルダーブロック５３の挿通孔５５に嵌挿して、締付けねじ７が挿通される硬質材からなる一対のスリーブ５６によって構成したもので、それらのスリーブ５６の各一端に設けたフランジ５７を、それぞれ、上記挿通孔５５における取付バンド３の締付け補強板３ａ，３ｂに対面する位置に配設し、二つのスリーブ５６間には上記第３の締付け位置において圧接される間隔を置いている。この間隔は、前記第１及び第２実施例におけるスリット１３に相当するものである。
【００４０】
このような構成を有するホルダー５２を用いた場合、上記締付けねじ７を締付けると、上記締付け補強板３ａ，３ｂを介してホルダーブロック５３が圧縮され、それが弾性的に変形してスイッチ挿入孔５４に挿入された位置検出スイッチ９が締付け固定される。これは、前記第２の締付け位置に相当するものである。締付けねじ７によるホルダーブロック５３の締め付けが更に進行すると、上記対向する一対のスリーブ５６の対面端が接近して圧接するに至り、この状態になると対向する締付け補強板３ａ，３ｂを締め付けることができず、それによって過度の締付けによる位置検出スイッチ９の破損が防止される。この締め付け位置は、前記第３の締付け位置に相当するものである。
【００４１】
図１０は、上記位置検出スイッチ９とは外形状が異なる他の位置検出スイッチ９Ａを、上記第２実施例のスイッチ取付具と実質的に同構造であるが、ホルダー本体３３の内側のスイッチの収容部の形状をそのスイッチ９Ａに適合させ、そのホルダー本体３３を用いて該スイッチ９Ａを固定する態様を示している。
即ち、上記スイッチ取付具は、位置検出スイッチの形状に応じてそれらに適合する形状のホルダーを取付けバンドの両端の締付け補強板３ａ，３ｂ間に選択的に装着可能なものである。図の主要部には第２実施例と同じ符号を付している。
このように、上述したスイッチ取付具は、ホルダーあるいはホルダー本体の形状をスイッチ形状に適合させるだけで、外形状が異なる複数の位置検出スイッチに対応させることができる。
【図面の簡単な説明】
【００４２】
【図１】本発明に係るスイッチ取付具の第１実施例を示す分解斜視図である。
【図２】同実施例におけるホルダーの水平断面図である。
【図３】同実施例において位置検出スイッチに取付けられる係止部材の側断面図である。
【図４】位置検出スイッチの取付け状態における上記係止部材とホルダー等との位置的関係を示す説明図である。
【図５】（Ａ）〜（Ｄ）は、上記第１実施例（取付けバンドの形態のみ相違）における使用態様を要部縦断面によって説明するための説明図である。
【図６】本発明に係るスイッチ取付具の第２実施例を示す分解斜視図である。
【図７】同実施例におけるホルダー本体の水平断面図である。
【図８】本発明に係るスイッチ取付具の第３実施例を示す縦断面図である。
【図９】同実施例におけるホルダーの斜視図である。
【図１０】第２実施例と実質的に同構成のスイッチ取付具を、上記各実施例の場合とは別形態の位置検出スイッチの取付けに適用した場合の断面図である。
【符号の説明】
【００４３】
１，３１，５１    スイッチ取付具
２                シリンダチューブ
３                取付けバンド
３ａ，３ｂ        締付け補強板
４，３２，５２    ホルダー
６                係止部材
７                締付けねじ
９                位置検出スイッチ
９ｂ              保持部分
１１，３４        側面部
１１ａ，３４ａ    挟持部
１１ｂ，３４ｂ    締付け部
１２，３６        連結部
１３              スリット
１５，４２        弾性突片
２０              突子
２１              抱持片
２１ａ            係止縁部
２２              係止突子
３３              ホルダー本体
３５              ブラケット
３７              当接壁
４４              溝
５３              ホルダーブロック
５４              スイッチ挿入孔
【図１】
2005249128.tif 000003
【図２】
2005249128.tif 000004
【図３】
2005249128.tif 000005
【図４】
2005249128.tif 000006
【図５】
2005249128.tif 000007
【図６】
2005249128.tif 000008
【図７】
2005249128.tif 000009
【図８】
2005249128.tif 000010
【図９】
2005249128.tif 000011
【図１０】
2005249128.tif 000012